(57)【要約】【課題】  建設費を抑えることのできる集合住宅を提供する。【解決手段】  複数階からなる集合住宅１であって、その集合住宅のオーナが住むオーナ用住戸２を３階に設け、賃貸用住戸３,４を１,２階に設け、その集合住宅１を準耐火構造にした。【選択図】  図１
2005042502.tif 000002
【特許請求の範囲】
【請求項１】
複数階からなる集合住宅であって、
その集合住宅のオーナが住むオーナ用住戸を上層階に設け、
賃貸用住戸を下層階に設け、
その集合住宅を準耐火構造にしたことを特徴とする集合住宅。
【請求項２】
３階建ての集合住宅であって、
３階をその集合住宅のオーナが住むオーナ住戸とし、
１,２階を賃貸用住戸とし、
その集合住宅を準耐火構造にしたことを特徴とする集合住宅。
【請求項３】
３階建ての集合住宅であって、
２,３階をその集合住宅のオーナが住むオーナ住戸とし、
１階を賃貸用住戸とし、
その集合住宅を準耐火構造にしたことを特徴とする集合住宅。
【請求項４】
オーナ用住戸の入口と賃貸用住戸の入口とが離れていることを特徴とする請求項１ない
し請求項３のいずれか１つに記載の集合住宅。
【請求項５】
オーナ用住戸の入口と賃貸用住戸の入口のどちらか一方を集合住宅の表に設け、他方の
入口を裏に設けたことを特徴とする請求項４に記載の集合住宅。
【請求項６】
前記集合住宅の外壁をタイル外壁にしたことを特徴とする請求項１ないし請求項５のい
ずれか１つに記載の集合住宅。
【請求項７】
屋根をステンレス屋根にしたことを特徴とする請求項１ないし請求項６のいずれか１つ
に記載の集合住宅。
【請求項８】
各住戸の熱源の全てを電化したことを特徴とする請求項１ないし請求項７のいずれか１
つに記載の集合住宅。
【請求項９】
各階を複数の建物ユニットで構成したユニット建物であることを特徴とする請求項１な
いし請求項８のいずれか１つに記載の集合住宅。
【発明の詳細な説明】
【技術分野】
【０００１】
この発明は、オーナ用住戸と賃貸用住戸を設けた複数階の集合住宅に関する。
【背景技術】
【０００２】
従来から、例えば３階建ての集合住宅が知られている（特許文献１参照）。
【０００３】
かかる集合住宅は、互いに離間して配置した複数の住戸を下層階に設け、その隣り合う
住戸の間を上層階の住戸用の領域とし、この領域に上層階の住戸の玄関を設けたものであ
る。
【特許文献１】特開平５−２６３５３８号公報
【発明の開示】
【発明が解決しようとする課題】
【０００４】
ところで、このような集合住宅にあっては、全ての階を賃貸用の住戸とすると、耐火構
造にしなければならず、このため建設費が高価になってしまうという問題があった。
【０００５】
この発明の目的は、建設費を抑えることのできる集合住宅を提供することにある。
【課題を解決するための手段】
【０００６】
請求項１の発明は、複数階からなる集合住宅であって、
その集合住宅のオーナが住むオーナ用住戸を上層階に設け、
賃貸用住戸を下層階に設け、
その集合住宅を準耐火構造にしたことを特徴とする。
【０００７】
請求項２の発明は、３階建ての集合住宅であって、
３階をその集合住宅のオーナが住むオーナ住戸とし、
１,２階を賃貸用住戸とし、
その集合住宅を準耐火構造にしたことを特徴とする。
【０００８】
請求項３の発明は、３階建ての集合住宅であって、
２,３階をその集合住宅のオーナが住むオーナ住戸とし、
１階を賃貸用住戸とし、
その集合住宅を準耐火構造にしたことを特徴とする。
【０００９】
請求項４の発明は、オーナ用住戸の入口と賃貸用住戸の入口とが離れていることを特徴
とする。
【００１０】
請求項５の発明は、オーナ用住戸の入口と賃貸用住戸の入口のどちらか一方を集合住宅
の表に設け、他方の入口を裏に設けたことを特徴とする。
【００１１】
請求項６の発明は、前記集合住宅の外壁をタイル外壁にしたことを特徴とする。
【００１２】
請求項７の発明は、屋根をステンレス屋根にしたことを特徴とする。
【００１３】
請求項８の発明は、各住戸の熱源の全てを電化したことを特徴とする。
【００１４】
請求項９の発明は、各階を複数の建物ユニットで構成したユニット建物であることを特
徴とする。
【発明の効果】
【００１５】
請求項１の発明によれば、建設費を抑えた安価な集合住宅を提供することができる。
【００１６】
請求項２の発明によれば、３階にオーナが住めることができ、しかも建設費を抑えた安
価な３階建ての集合住宅を提供することができる。
【００１７】
請求項３の発明よれば、２,３階にオーナが住めることができ、しかも建設費を抑えた
安価な３階建ての集合住宅を提供することができる。
【００１８】
請求項４の発明によれば、オーナ用住戸の入口と賃貸用住戸の入口とが離れているので
、オーナと賃貸者が顔を合わせてしまうことを少なくすることができる。
【００１９】
請求項５の発明によれば、オーナ用住戸の入口と賃貸用住戸の入口のどちらか一方を集
合住宅の表に設け、他方の入口を裏に設けたものであるから、オーナと賃貸者が顔を合わ
せてしまうことをさらに少なくすることができる。
【００２０】
請求項６の発明によれば、集合住宅の外壁をタイル外壁にしたものであるから、メンテ
ナンス費を抑えることができる。
【００２１】
請求項７の発明によれば、屋根をステンレス屋根にしたものであるから、メンテナンス
費を抑えることができる。
【００２２】
請求項８の発明によれば、各住戸の熱源の全てを電化したものであるから、火災に対す
る安全性が高まる。
【００２３】
請求項９の発明によれば、集合住宅は各階を複数の建物ユニットで構成したユニット建
物であるから、建設費をさらに抑えることができる。
【発明を実施するための最良の形態】
【００２４】
【実施例】
【００２５】
以下、この発明に係る集合住宅の実施例を図面に基づいて説明する。
【００２６】
図１（Ａ）は第１実施例の３階建ての集合住宅１の各階の住戸を示したものである。こ
の集合住宅１は、３階がオーナが住むオーナ用住戸２、１,２階が賃貸用住戸３,４となっ
ている。また、住戸３の左側の１〜３階はオーナ用の領域５となっており、この領域５に
オーナが使用する玄関や階段やエレベータ等が設けられている。
【００２７】
また、オーナ用住戸２および領域５と賃貸用住戸３,４とは界壁６,７によって区画され
ている。さらに、賃貸用住戸３と賃貸用住戸４とは界壁８によって区画されている。賃貸
用住戸３,４は内部に一階から二階に昇る階段が設けられている。
【００２８】
図１（Ｂ）は第１実施例の他の例の３階建ての集合住宅１′を示したものであり、この
集合住宅１′は１,２階を４つの賃貸用住戸９Ａ〜９Ｄとしたものである。これら賃貸用
住戸９Ａ〜９Ｄはそれぞれ界壁１０Ａ〜１０Ｄによって区画されている。二階の賃貸用住
戸９Ａ,９Ｂにはそれぞれの住戸に入るための外階段と外廊下が裏側に設けられている。
【００２９】
図１（Ｃ）は第２実施例の３階建ての集合住宅３０の各階の住戸を示したものである。
この集合住宅３０は、２,３階がオーナが住むオーナ用住戸３１、１階が賃貸用住戸３２,
３３となっており、外階段３４によってオーナは出は入りすることになる。また、オーナ
用住戸３１と賃貸用住戸３２,３３とは界壁３５によって区画され、賃貸用住戸３２と賃
貸用住戸３３とが界壁３６によって区画されている。さらに、オーナが使用する外階段３
４側の賃貸用住戸３２の左の壁は界壁３７となっている。
【００３０】
図１（Ｄ）は第２実施例の他の例の３階建ての集合住宅３０′を示したものであり、こ
の集合住宅３０′はオーナが使用する玄関や階段等を設ける領域３８を住宅内に設けたも
のである。
【００３１】
これら集合住宅１,１′,３０,３０′は３階にオーナ用住戸があるので、準耐火構造の
建物でよいことになる。
［第１実施例］
図２は３階建てのユニット建物である集合住宅（ユニット住宅）１を示した正面図、図
３は集合住宅１の右側面図、図４は集合住宅１の左側面図、図５は集合住宅１の背面図で
ある。
【００３２】
この図２ないし図５に示す集合住宅１は、各階の外壁を耐久性に富んだ磁器タイル（タ
イル外壁）１Ｔで覆っており、屋根をステンレス１Ｓで形成している。また、屋根には図
６に示すように複数のソーラパネルＰが取り付けられている。
【００３３】
集合住宅１の一階は、図７に示すように、準耐火構造の３つの建物ユニットＵａ１〜Ｕ
ｃ１と準耐火構造の３つの建物ユニットＵｄ１〜Ｕｆ１を並設したユニット建物等で構成
されている。また、これら建物ユニットＵａ１〜Ｕｃ１で賃貸用住戸３の一階の居室３Ａ
が形成され、建物ユニットＵｄ１〜Ｕｆ１で賃貸用住戸４の一階の居室４Ａが形成されて
いる。そして、居室３Ａと居室４Ａとは界壁８Ａによって区画されている。また、各居室
３Ａ,４Ａのキッチンに取り付けた加熱器は全てが電化されている。３Ａｇ,４Ａｇは上記
建物ユニットに設けられた玄関、３Ａｋ,４Ａｋは上記建物ユニットに設けられた階段で
ある。
【００３４】
また、建物ユニットＵａ１〜Ｕｃ１に並設して準耐火構造の建物ユニットＵｇ１〜Ｕｉ
１が設けられており、この建物ユニットＵｇ１〜Ｕｉ１でユニット建物が構成され、この
ユニット建物でオーナ用の領域５の一階部分（領域）５Ａが形成され、この領域５Ａには
玄関１１Ａと階段１１Ｂ１とエレベータ昇降路１１Ｃ１等が設けられている。玄関１１Ａ
と賃貸用住戸３,４の玄関３Ａｇ,４Ａｇとは離れた位置にある。また、領域５Ａと居室３
Ａとは界壁６Ａによって区画されている。
【００３５】
集合住宅１の二階は、図８に示すように、準耐火構造の３つの建物ユニットＵａ２〜Ｕ
ｃ２と準耐火構造の３つの建物ユニットＵｄ２〜Ｕｆ２を並設したユニット建物等で構成
されている。また、これら建物ユニットＵａ２〜Ｕｃ２で賃貸用住戸３の２階の居室３Ｂ
が形成され、建物ユニットＵｄ２〜Ｕｆ２で賃貸用住戸４の二階の居室４Ｂが形成されて
いる。そして、居室３Ｂと居室４Ｂとは界壁８Ｂによって区画されている。３Ｂｋ,４Ｂ
ｋは上記建物ユニットに設けられた階段上部であり、この階段上部３Ｂｋ,４Ｂｋは一階
の階段３Ａｋ,４Ａｋに接続されている。３Ｖ,４Ｖはバルコニーであり、これもバルコニ
ーユニットで構成されている。
【００３６】
また、建物ユニットＵａ２〜Ｕｃ２に並設して準耐火構造の建物ユニットＵｇ２〜Ｕｉ
２が設けられており、この建物ユニットＵｇ２〜Ｕｉ２でユニット建物が構成され、この
ユニット建物によってオーナ用の領域５の二階部分（領域）５Ｂが形成され、この領域５
Ｂには収納室５Ｂａと階段１１Ｂ２とエレベータ昇降路１１Ｃ等が設けられている。階段
１１Ｂ２は一階の階段１１Ｂ１に接続され、エレベータ昇降路１１Ｃ２は一階のエレベー
タ昇降路１１Ｃ１に接続されている。そして、領域５Ｂと居室３Ｂとは界壁６Ｂによって
区画されている。
【００３７】
集合住宅１の三階は、図９に示すように、準耐火構造の複数の建物ユニットＵａ３〜Ｕ
ｆ３からなるユニット建物で構成され、これら建物ユニットＵａ３〜Ｕｆ３によってオー
ナ用住戸２の居室２Ａ,２Ｂ等が形成されている。居室２Ａのキッチンに取り付けた加熱
器は全てが電化されている。２Ｖはバルコニーである。
【００３８】
また、建物ユニットＵｂ３,Ｕｃ３に並設して準耐火構造の建物ユニットＵｈ３,Ｕｉ３
が設けられており、この建物ユニットＵｈ３,Ｕｉ３でユニット建物が構成され、このユ
ニット建物によってオーナ用の領域５の三階部分（領域）５Ｃが形成され、この領域５Ｃ
には階段上部１１Ｂ３とエレベータ昇降路１１Ｃ３等が設けられている。階段上部１１Ｂ
３は二階の階段１１Ｂ２に接続され、エレベータ昇降路１１Ｃ３は２階のエレベータ昇降
路１１Ｃ２に接続されている。５Ｖはバルコニーである。
【００３９】
この集合住宅１によれば、準耐火構造の建物ユニットＵａ１〜Ｕｉ３でユニット建物を
構成したものであるから建設費を抑えることができる。また、外壁を磁器タイル１Ｔで覆
い、屋根をステンレス１Ｓで形成したものであるから、メンテナンス費を抑えることがで
きる。さらに、屋根にソーラパネルＰを設けたものであるから、ライフサイクルコスト（
メンテナンス費,光熱費など）を抑えることができる。
【００４０】
さらに、集合住宅１の各住戸２〜４の熱源の全てを電化したものであるから、火災に対
する安全性が高まる。また、オーナが使用する玄関１１Ａと賃貸用住戸３,４の玄関３Ａ
ｇ,４Ａｇとは離れた位置にあるので、オーナと賃貸者が顔を合わせてしまうことを少な
くすることができる。
［第１実施例の他の例］
図１０および図１１は、集合住宅１′の１階および２階を示したものである。
【００４１】
集合住宅１′の一階は、図１０に示すように、準耐火構造の３つの建物ユニットＵａ１
′〜Ｕｃ１′と準耐火構造の３つの建物ユニットＵｄ１′〜Ｕｆ１′を並設したユニット
建物で構成され、これら建物ユニットＵａ１′〜Ｕｃ１′で一階の居室９Ｄａを形成した
賃貸用住戸９Ｄが構成され、建物ユニットＵｄ１′〜Ｕｆ１′で一階の居室９Ｃａを形成
した賃貸用住戸９Ｃが構成されている。そして、賃貸用住戸９Ｄと賃貸用住戸９Ｃとは界
壁１０Ｃによって区画されている。また、各居室９Ｄａ,９Ｃａのキッチンに取り付けた
加熱器は全てが電化されている。
【００４２】
そして、賃貸用住戸９Ｃ,９Ｄの玄関９Ｃｇ,９Ｄｇは集合住宅１′の裏側に設けられて
いる。
【００４３】
集合住宅１′の二階は、図１１に示すように、準耐火構造の３つの建物ユニットＵａ２
′〜Ｕｃ２′と準耐火構造の３つの建物ユニットＵｄ２′〜Ｕｆ２′を並設したユニット
建物で構成され、これら建物ユニットＵａ２′〜Ｕｃ２′で二階の居室９Ａａを形成した
賃貸用住戸９Ａが構成され、建物ユニットＵｄ２′〜Ｕｆ２′で二階の居室９Ｂａを形成
した賃貸用住戸９Ｂが構成されている。そして、居室９Ａａと居室９Ｂａとは界壁１０Ａ
によって区画されている。さらに、上下の居室９Ｄａと居室９Ａａとは界壁１０Ｄ（図１
（Ｂ）参照）によって、上下の居室９Ｂａと居室９Ｃａとは界壁１０Ｂ（図１（Ｂ）参照
）によって区画されている。９Ｖａ,９Ｖｂはバルコニーである。
【００４４】
また、各居室９Ａａ,９Ｂａのキッチンに取り付けた加熱器は全てが電化されている。
そして、賃貸用住戸９Ａ,９Ｂの玄関９Ａｇ,９Ｂｇは集合住宅１′の裏側に設けられてい
る。２０は各玄関９Ａｇ,９Ｂｇに通じる外階段と廊下である。
【００４５】
なお、集合住宅１′の三階は集合住宅１の三階と同一構成となっているのでその説明は
省略する。
【００４６】
この集合住宅１′によれば、賃貸用住戸９Ａ〜９Ｄの玄関９Ａｇ〜９Ｄｇは集合住宅１
′の裏側に設けたので、オーナが使用する玄関１１Ａが表にあることにより、オーナと賃
貸者が顔を合わせてしまうことをさらに少なくすることができる。
［第２実施例］
図１２は第２実施例の３階建てのユニット建物である集合住宅（ユニット住宅）３０を
示した正面図、図１３は集合住宅３０の右側面図、図１４は集合住宅３０の左側面図、図
１５は集合住宅３０の背面図である。
【００４７】
図１２ないし図１５に示す集合住宅３０は、各階の外壁を耐久性に富んだ磁器タイル（
タイル外壁）３０Ｔで覆っており、屋根をステンレス３０Ｓで形成している。また、屋根
には図１６に示すように複数のソーラパネル３０Ｐが取り付けられている。
【００４８】
集合住宅３０の一階は、図１７に示すように、準耐火構造の３つの建物ユニット３Ｕａ
１〜３Ｕｃ１と準耐火構造の３つの建物ユニット３Ｕｄ１〜３Ｕｆ１を並設したユニット
建物で構成され、これら建物ユニット３Ｕａ１〜３Ｕｃ１で賃貸用住戸３２の居室３Ａが
形成され、建物ユニット３Ｕｄ１〜３Ｕｆ１で賃貸用住戸３３の居室３３Ａが形成されて
いる。そして、居室３２Ａと居室３３Ａとは界壁３６によって区画されている。さらに、
居室３２Ａの左側の壁は界壁３７となっている。また、各居室３２Ａ,３３Ａのキッチン
に取り付けた加熱器は全てが電化されている。３２Ａｇ,３３Ａｇは玄関で集合住宅３０
の裏に設けられている。３４は外階段で、この階段３４の登り口は表側に配置されている
。
【００４９】
集合住宅３０の二階は、図１８に示すように、準耐火構造の複数の建物ユニット３Ｕａ
２〜３Ｕｆ２からなるユニット建物で構成され、これら建物ユニット３Ｕａ２〜３Ｕｆ２
でオーナ用住戸３１の居室３１Ａ,３１Ｂ等が形成されている。そして、居室３１Ｂのキ
ッチンに取り付けた加熱器は全てが電化されている。３１ｇは上記ユニット建物に設けら
れた玄関で外階段３４に接続されている。４０は上記ユニット建物に設けられた階段であ
る。３１Ｖはバルコニーである。
【００５０】
集合住宅３０の三階は、図１９に示すように、準耐火構造の複数の建物ユニット３Ｕａ
３〜３Ｕｆ３からなるユニット建物で構成され、これら建物ユニット３Ｕａ３〜３Ｕｆ３
によってオーナ用住戸３１の居室３１Ｃ,３１Ｄ等が形成されている。４１は上記ユニッ
ト建物に設けられた階段上部で２階の階段４０に接続されている。３１Ｖ′はバルコニー
である。
【００５１】
この第２実施例の集合住宅３０も集合住宅１と同様の効果を得ることができる他に、階
段３４の昇り口が表側に配置され、賃貸用住戸３２,３３の玄関３２Ａｇ,３３Ａｇが裏に
あることにより、オーナと賃貸者が顔を合わせてしまうことが少なくなる。
［第２実施例の他の例］
図２０ないし図２２は、集合住宅３０′の各階を示したものである。
【００５２】
集合住宅３０′の一階には、図２０に示すように、建物ユニット３Ｕａ１〜３Ｕｃ１に
並設して準耐火構造の建物ユニット３Ｕｇ１〜３Ｕｉ１が設けられており、この複数の建
物ユニット３Ｕｇ１〜３Ｕｉ１からなるユニット建物でオーナ用の領域３８の一階部分（
領域）３８Ａが形成され、この領域３８Ａには玄関５１と階段５２とエレベータ昇降路５
３ａ等が設けられている。玄関５１Ａと賃貸用住戸３２,３３の玄関３２Ａｇ,３３Ａｇと
は離れた位置にある。また、領域３８Ａと居室３２Ａとは界壁３７によって区画されてい
る。
【００５３】
集合住宅３０′の二階は全てオーナ用の領域になっている。この二階には、図２１に示
すように、建物ユニット３Ｕａ２〜３Ｕｃ２′に並設して準耐火構造の建物ユニット３Ｕ
ｇ２〜３Ｕｉ２が設けられており、この複数の建物ユニット３Ｕｇ２〜３Ｕｉ２からなる
ユニット建物でオーナ用の領域３８の二階左側部分（領域）３８Ｂが形成されている。こ
の領域３８Ｂには、収納室３８Ｂａと階段５２ａとエレベータ昇降路５３ｂ等が設けられ
ている。階段５２ａは１階の階段５２に接続され、エレベータ昇降路５３ｂは一階のエレ
ベータ昇降路５３ａに接続されている。
【００５４】
集合住宅３０′の三階は、図２２に示すように、建物ユニット３Ｕｂ３,３Ｕｃ３′に
並設して準耐火構造の建物ユニット３Ｕｇ３〜３Ｕｉ３が設けられており、この複数の建
物ユニット３Ｕｇ３〜３Ｕｉ３からなるユニット建物でオーナ用の領域３８の三階左側部
分（領域）３８Ｃが形成されている。この領域３８Ｃには、階段５２ｂとエレベータ昇降
路５３ｃ等が設けられている。階段上部５２ｂは２階の階段５２ａに接続され、エレベー
タ昇降路５３ｃは２階のエレベータ昇降路５３ｂに接続されている。
【００５５】
この集合住宅３０′も集合住宅３０と同様の効果が得られる。
【００５６】
上記実施例はいずれも三階建ての集合住宅について説明したが、必ずしも三階建てであ
る必要はなく、例えば二階建ての集合住宅であってもよい。この場合、例えば２階をオー
ナ用住戸とし、一階を賃貸用住戸とすればよい。
【図面の簡単な説明】
【００５７】
【図１】（Ａ）この発明に係る集合住宅の第１実施例を示した説明図である。  （Ｂ）第１実施例の他の例の住戸を示した説明図である。  （Ｃ）集合住宅の第２実施例を示した説明図である。  （Ｄ）第２実施例の他の例の住戸を示した説明図である。
【図２】第１実施例の集合住宅を示した正面図である。
【図３】図２に示す集合住宅の右側面図である。
【図４】図２に示す集合住宅の左側面図である。
【図５】図２に示す集合住宅の背面図である。
【図６】図２に示す集合住宅の屋根を示した平面図である。
【図７】図２に示す集合住宅の一階のユニット建物の間取りを示した平面図である。
【図８】図２に示す集合住宅の二階のユニット建物の間取りを示した平面図である。
【図９】図２に示す集合住宅の三階のユニット建物の間取りを示した平面図である。
【図１０】第１実施例の他の例を示した集合住宅の一階のユニット建物の間取りを示した平面図である。
【図１１】第１実施例の他の例を示した集合住宅の二階のユニット建物の間取りを示した平面図である。
【図１２】第２実施例の集合住宅を示した正面図である。
【図１３】図１２に示す集合住宅の右側面図である。
【図１４】図１２に示す集合住宅の左側面図である。
【図１５】図１２に示す集合住宅の背面図である。
【図１６】図１２に示す集合住宅の屋根を示した平面図である。
【図１７】図１２に示す集合住宅の一階のユニット建物の間取りを示した平面図である。
【図１８】図１２に示す集合住宅の二階のユニット建物の間取りを示した平面図である。
【図１９】図１２に示す集合住宅の三階のユニット建物の間取りを示した平面図である。
【図２０】第２実施例の他の例を示した集合住宅の一階のユニット建物の間取りを示した平面図である。
【図２１】第２実施例の他の例を示した集合住宅の二階のユニット建物の間取りを示した平面図である。
【図２２】第２実施例の他の例を示した集合住宅の三階のユニット建物の間取りを示した平面図である。
【符号の説明】
【００５８】
１                集合住宅
１Ｔ              磁器タイル（タイル外壁）
１Ｓ              ステンレス
２                オーナ用住戸
３                賃貸用住戸
３Ａ              居室
３Ａｇ            玄関
３Ａｋ            階段
４                賃貸用住戸
４Ａ              居室
４Ａｇ            玄関
４Ａｋ            階段
６〜８            界壁
Ｕａ１〜Ｕｆ１    建物ユニット
Ｕｇ１〜Ｕｉ１    建物ユニット
Ｐ                ソーラパネル
【図１】
2005042502.tif 000003
【図２】
2005042502.tif 000004
【図３】
2005042502.tif 000005
【図４】
2005042502.tif 000006
【図５】
2005042502.tif 000007
【図６】
2005042502.tif 000008
【図７】
2005042502.tif 000009
【図８】
2005042502.tif 000010
【図９】
2005042502.tif 000011
【図１０】
2005042502.tif 000012
【図１１】
2005042502.tif 000013
【図１２】
2005042502.tif 000014
【図１３】
2005042502.tif 000015
【図１４】
2005042502.tif 000016
【図１５】
2005042502.tif 000017
【図１６】
2005042502.tif 000018
【図１７】
2005042502.tif 000019
【図１８】
2005042502.tif 000020
【図１９】
2005042502.tif 000021
【図２０】
2005042502.tif 000022
【図２１】
2005042502.tif 000023
【図２２】
2005042502.tif 000024